【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】    【請求項１】  ネットワークを通じて、少なくとも第一の命令語に応答する第一の投映装置と該第一の命令語とは異なる第二の命令語に応答する第二の投映装置とに接続されるように構成されているコントローラを備えており、  前記コントローラが、  拡張マークアップ言語を用いて定義される投映器制御用マークアップ言語を用いて前記第一の投映装置に対して質問し、  前記投映器制御用マークアップ言語を用いて前記第二の投映装置に対して質問し、  前記第一の投映装置の質問に応答して前記第一の投映装置から第一の応答を受け取り、  前記第二の投映装置の質問に応答して前記第二の投映装置から第二の応答を受け取り、  前記第一の投映装置からの前記第一の応答に基づいて、前記第一の投映装置に第一の命令を送り、  前記第二の投映装置からの前記第二の応答に基づいて、前記第二の投映装置に第二の命令を送るようにさらに構成されている、システム。    【請求項２】  前記コントローラは、前記投映装置のうちの１つのステータスを要求する質問ドキュメントを送るように構成されている、請求項１記載のシステム。    【請求項３】  前記コントローラは、前記投映装置のうちの１つから、該投映装置のうちの１つの現在のステータスを報告する応答ドキュメントを受け取るように構成されている、請求項２記載のシステム。    【請求項４】  前記コントローラは、前記投映装置のうちの１つから、少なくとも１つの調整可能な機能の範囲を報告する応答ドキュメントを受け取るように構成されている、請求項２記載のシステム。    【請求項５】  前記コントローラは、前記応答ドキュメントが生成されたときのステータスに前記投映装置のうちの１つを回復させるため、前記応答ドキュメントを命令ドキュメントとして再び送るように構成されている、請求項３記載のシステム。    【請求項６】  前記投映器制御用マークアップ言語がルートエレメント＜pcml/＞を含んでいる、請求項１記載のシステム。    【請求項７】  前記ルートエレメント＜pcml/＞が、前記投映装置のうちの１つのすべての状態を通常質問するように構成されている、請求項６記載のシステム。    【請求項８】    前記投映装置のうちの１つが投映器制御用マークアップ言語のインタープリターに接続されてなる、請求項１記載のシステム。    【請求項９】  前記投映器制御用マークアップ言語のインタープリターは、拡張マークアップ言語用構文解析プログラムを備えてなる、請求項８記載のシステム。    【請求項１０】  前記投映器制御用マークアップ言語のインタープリターは、拡張マークアップ言語用検証器を備えてなる、請求項８記載のシステム。    【請求項１１】  前記投映器制御用マークアップ言語は、システム、ステータスおよび管理のグループから選択される少なくとも１つを含む多重チャイルドエレメントを備えてなる、請求項１記載のシステム。    【請求項１２】  前記投映器制御用マークアップ言語は、パスワード保護機構を備えてなる、請求項１記載のシステム。    【請求項１３】  少なくとも第一の命令語を有する第一の投映装置と第二の命令語を有する第二の投映装置とを制御する方法であって、  拡張マークアップ言語を用いて定義される投映器制御用マークアップ言語による質問を��いて、前記第一の投映装置にその能力を質問し、それに応答して、第一の応答ドキュメントを受け取ることと、  前記投映器制御用マークアップ言語を用いて、前記第二の投映装置にその能力を質問し、それに応答して、第二の応答ドキュメントを受け取ることと、  前記第一の応答ドキュメントを通じて前記第一の投映装置の能力を特定することと、  前記第二の応答ドキュメントを通じて前記第二の投映装置の能力を特定することと、  前記第一の応答ドキュメントを用いて前記第一の投映装置を制御することと、  前記第二の応答ドキュメントを用いて前記第二の投映装置を制御することとを含んでいる、方法。    【請求項１４】  前記投映装置のうちの１つの能力を特定することは、前記投映装置のうちの１つの現在のステータスを特定することを含んでいる、請求項１３記載の方法。    【請求項１５】  前記投映装置のうちの１つを制御することは、前記応答ドキュメントを命令ドキュメントとして前記投映装置のうちの１つに再び送ることを含んでいる、請求項１４記載の方法。    【請求項１６】  前記投映装置のうちの１つの能力を特定することは、前記投映装置のうちの１つの調整可能な各機能の範囲を特定することを含んでいる、請求項１３記載の方法。    【請求項１７】  前記投映装置のうちの１つの能力を特定することは、前記投映装置のうちの１つが応答するように構成された命令のセットを特定することを含んでいる、請求項１３記載の方法。    【請求項１８】  投映装置を制御するために、マシンによる実行可能なインストラクションプログラムを有体的に具現化するマシン読み取り可能プログラム記憶装置であって、  異なる命令語を有した第一の投映装置および第二の投映装置に対して質問をするために、拡張マークアップ言語で定義されている投映器制御用マークアップ言語命令ドキュメントを、前記第一の投映装置および前記第二の投映装置の各々に対して送るインストラクションと、  前記第一の投映装置および前記第二の投映装置についての情報を特定する各応答ドキュメントを、各投映装置から受け取るためのインストラクションと、  所望の状態に応じて前記投映装置を制御するために、夫々の応答ドキュメントに基づいて前記第一の投映装置および前記第二の投映装置に命令を送るためのインストラクションと  を備えてなる、プログラム記憶装置。  【請求項１９】  複数の投映装置を制御するための方法であって、  前記装置の状態を要求する、拡張マークアップ言語で定義される第一の質問ドキュメントを、第一の投映装置に送ることと、  前記装置の状態を要求する、拡張マークアップ言語で定義される第二の質問ドキュメントを、第二の投映装置に送ることと、  前記投映装置の状態を含む、拡張マークアップ言語で定義される第一の応答ドキュメントを、第一の投映装置から受け取ることと、  前記投映装置の状態を含む、拡張マークアップ言語で定義される第二の応答ドキュメントを、第二の投映装置から受け取ることと、  前記第一の応答ドキュメントを第一の命令として前記第一の投映装置に送り返して、それによって前記第一の投映装置からの第一の応答ドキュメントが生成されたときの、前記第一の投映装置の状態に、前記第一の投映装置を回復させるように命令することと、  前記第二の応答ドキュメントを第二の命令として前記第二の投映装置に送り返して、それによって前記第二の投映装置からの第二の応答ドキュメントが生成されたときの、前記第二の投映装置の状態に、前記第二の投映装置を回復させるように命令することとを含んでいる、方法。    【請求項２０】  マシン読み取り可能プログラム記憶装置が理解できない異なる命令語に応答するようになしてある複数の投映装置のうちのいずれかを制御するように構成されているとともに、マシンにより実行可能なインストラクションプログラムを有体的に具現化するようになっているマシン読み取り可能プログラム記憶装置を備えているシステムであって、  前記プログラム記憶装置が、  前記複数の投映装置に質問するために、拡張マークアップ言語で定義される投映器制御用マークアップ言語による命令ドキュメントを、該複数の投映装置に送るためのインストラクションと、  各投映装置についての情報を特定する夫々の応答ドキュメントを、各投映装置から受け取るためのインストラクションと、  所望の状態に応じて前記投映装置を制御するために、夫々の応答ドキュメントに基づいて、拡張マークアップ言語で各投映装置に命令を送るためのインストラクションと  を備えてなる、システム。